(57)【要約】      （修正有）【課題】玩具銃に対するガスカートリッジの強固な取り付け及び交換を簡易な操作で実現する。【解決手段】ガスカートリッジＢは、弾丸Ｗを発射させるための圧縮ガスＰＡを封入している。カートリッジ収納部１１１は、ガスカートリッジＢの外周面Ｂ０をスライド自在に保持する。カートリッジ取付部１１８には、カートリッジ収納部１１１に収納されたガスカートリッジＢの蓋部Ｂ１が連結される。クランプアーム１２１は、ローラ１２３と延出部とを有して回動軸１２２を中心に回動自在である。クランプアーム１２１が回動すると、ローラ１２３は、カートリッジ収納部１１１内のガスカートリッジＢの底部Ｂ２を押圧する。起こしレバー１２５は、当接部を有し、取付軸１２４を中心に回動自在に延出部に連結される。起こしレバー１２５が動くと、当接部が摺動面を摺動し、クランプアーム１２１を回動させる。【選択図】図１２
2012077959.tif 000002
【特許請求の範囲】
【請求項１】
圧縮ガスが蓄えられる気室を形成する気室ボディと、
前記気室内の圧縮ガスを放出させる放出機構と、
圧縮ガスが封入された筒状のガスカートリッジを収納し、このガスカートリッジの外周面をスライド自在に保持するカートリッジ収納部と、
前記カートリッジ収納部に収納されたガスカートリッジの第１の端部が連結され、このガスカートリッジ内の圧縮ガスを前記気室に導くカートリッジ取付部と、
前記カートリッジ収納部に収納されたガスカートリッジの第２の端部を押圧する押圧部と、前記カートリッジ収納部に収納されたガスカートリッジの外周面に対面する位置に迫り出した延出部とを含み、回動軸を中心に回動自在の第１のアーム要素と、
摺動面を摺動する当接部と、前記延出部に回動自在に連結される支点部と、前記支点部に対して前記当接部とは反対側に位置する操作部とを含む第２のアーム要素と、
を備える玩具銃。
【請求項２】
前記押圧部は、前記第１のアーム要素に回転自在に設けられたローラを有する、
請求項１記載の玩具銃。
【請求項３】
前記回動軸に向かうにつれて前記カートリッジ収納部に収納されたガスカートリッジの外周面から離れるように前記摺動面に対して傾斜する傾斜面を更に備える、
請求項１又は２記載の玩具銃。
【発明の詳細な説明】
【技術分野】
【０００１】
本発明は、圧縮ガスが封入されたガスカートリッジを装着でき、圧縮ガスの噴射圧を利用して弾丸を発射させる玩具銃に関する。
【背景技術】
【０００２】
従来、二酸化炭素等の圧縮ガスが封入されたガスカートリッジを装着でき、圧縮ガスの噴射圧を利用して弾丸を発射させる玩具銃がある。圧縮ガスは、玩具銃に備わっているトリガへの操作に応じて放出され、玩具銃に籠められた弾丸にあたり、弾丸を発射させる。このような玩具銃では、ガスカートリッジが確実に取り付けられて外れないこと、及び、ガスカートリッジの交換が容易であることのいずれもが重要である。
【０００３】
特許文献１の図４、図６、図８及び図１０を参照する。特許文献１に記載のエアガンＧのグリップ部１には、高圧ガスカートリッジＡが収納されるカートリッジ収納部２が形成される。カートリッジ収納部２は、グリップ部１の側面に開口する。
【０００４】
グリップ部１の後方から下方にかけた箇所には、クランプレバー部３０が取り付けられる。クランプレバー部３０は、グリップ部１の底面４に設けられたレバー回動軸５を中心に回動できる。このため、エアガンＧの使用者は、クランプレバー部３０をエアガンＧの後方側に引き倒すことができる。クランプレバー部３０におけるレバー回動軸５の上方箇所には、ローラ部６が設けられる。ローラ部６は、その中心に回転軸を有し、この回転軸を中心に回転自在である。ローラ部６は、高圧ガスカートリッジＡの底部Ａ１を押圧する押圧部を形成する。なお、特許文献１では、押圧部が回転しない円柱状部材で構成されていてもよい、とされる。
【０００５】
バックグリップパネル３が後方に引き倒されると、ローラ部６は退避し、グリップ部１の側方からカートリッジ収納部２に対して高圧ガスカートリッジＡを着脱できるようになる（特許文献１の図６参照）。カートリッジ収納部２に高圧ガスカートリッジＡが装着された状態でバックグリップパネル３を前方に押し戻すと、ローラ部６が高圧ガスカートリッジＡの底部Ａ１を押圧し、高圧ガスカートリッジＡを上方に押し上げる（特許文献１の図８及び図１０参照）。
【先行技術文献】
【特許文献】
【０００６】
【特許文献１】米国特許第７２９０５３９号明細書
【発明の概要】
【発明が解決しようとする課題】
【０００７】
特許文献１に記載のエアガンＧでは、高圧ガスカートリッジＡをカートリッジ収納部２に確実に収めるために、ローラ部６が高圧ガスカートリッジＡを上方に押し上げた状態でクランプレバー部３０を動かさないように強固に固定することが必要になる。この場合、高圧ガスカートリッジＡの着脱のために、使用者は、クランプレバー部３０を非常に強い力で動かさなくてはならない。このため、エアガンＧに備わるクランプレバー部３０は、使用者にとって扱いにくい。
【０００８】
ここで、クランプレバー部３０の操作性を高めるために、使用者がつまむためのツマミ部をクランプレバー部３０に設けることも考えられる。しかしながら、ツマミ部を設けた場合、クランプレバー部３０のデザイン性が損なわれる。
【０００９】
本発明の目的は、玩具銃に対するガスカートリッジの強固な取り付け及び交換を簡易な操作で実現することである。
【課題を解決するための手段】
【００１０】
本発明の玩具銃は、圧縮ガスが蓄えられる気室を形成する気室ボディと、前記気室内の圧縮ガスを放出させる放出機構と、圧縮ガスが封入された筒状のガスカートリッジを収納し、このガスカートリッジの外周面をスライド自在に保持するカートリッジ収納部と、前記カートリッジ収納部に収納されたガスカートリッジの第１の端部が連結され、このガスカートリッジ内の圧縮ガスを前記気室に導くカートリッジ取付部と、前記カートリッジ収納部に収納されたガスカートリッジの第２の端部を押圧する押圧部と、前記カートリッジ収納部に収納されたガスカートリッジの外周面に対面する位置に迫り出した延出部とを含み、回動軸を中心に回動自在の第１のアーム要素と、摺動面を摺動する当接部と、前記延出部に回動自在に連結される支点部と、前記支点部に対して前記当接部とは反対側に位置する操作部とを含む第２のアーム要素と、を備える。
【発明の効果】
【００１１】
本発明によれば、玩具銃の使用者が操作部を動かして当接部を摺動面に沿って摺動させると、支点部がカートリッジ収納部から離れ、第１のアーム要素が回動する。ここで、当接部と支点部との間の距離に比べて当接部と操作部との間の距離の方が長いため、使用者が加えるべき力は小さくて良い。そして、操作部はカートリッジ収納部から大きく離れるので、使用者は操作部をつまみやすくなる。したがって、玩具銃に対するガスカートリッジの強固な取り付け及び交換を簡易な操作で実現することができる。さらに、第１のアーム要素に使用者がつまむ箇所を設ける必要がなく、このために、玩具銃のデザイン性を損ねることはない。
【図面の簡単な説明】
【００１２】
【図１】玩具銃の側面図である。
【図２】玩具銃の後方側の側面図である。
【図３】左側グリップパネルが取り外された状態の玩具銃の左側の側面図である。
【図４】玩具銃の断面図である。
【図５】玩具銃の前方側から見たクランプアーム及び起こしレバーの斜視図である。
【図６】玩具銃の後方側から見た起こしレバーの斜視図である。
【図７】操作部が引き上げられた状態の玩具銃の断面図である。
【図８】当接部が傾斜面を摺動し終えた状態の玩具銃の断面図である。
【図９】パンクチャフレームの後方側の側面図である。
【図１０】クランプアームが押し上げられた状態にあるときのパンクチャフレームの後方側の側面図である。
【図１１】ガスカートリッジが玩具銃に装着される様子を示す玩具銃の側面図である。
【図１２】ガスカートリッジがカートリッジ収納部内に位置付けられた状態での玩具銃の断面図である。
【図１３】起こしレバーが押し上げられた状態での玩具銃の断面図である。
【図１４】ガスカートリッジが玩具銃に装着されたままで操作部が引き上げられた状態での玩具銃の断面図である。
【発明を実施するための形態】
【００１３】
実施の一形態を、図１ないし図１４に基づいて説明する。図１は、玩具銃１０１の側面図である。図２は、玩具銃１０１の後方側の側面図である。以下、玩具銃１０１の後方側の側面を正面として捉えて、図１にあらわれている玩具銃１０１の側を左側と呼ぶことがある。
【００１４】
玩具銃１０１の概形は、メインフレーム１０２により形成される。メインフレーム１０２は、銃口１０３、トリガガード１０４、グリップ１０５等の各部を形成する。グリップ１０５の左側の側面には、左側グリップパネル１０６が取り付けられる。グリップ１０５の右側の側面には、右側グリップパネル１０７が取り付けられる。
【００１５】
左側グリップパネル１０６は、グリップ１０５に対して着脱自在である。左側グリップパネル１０６の下方には、ツマミ部１０６ａが設けられる。ツマミ部１０６ａは、左側グリップパネル１０６の下方の辺から下方に突出する。玩具銃１０１の使用者は、ツマミ部１０６ａをつまんで、グリップ１０５から左側グリップパネル１０６を取り外すことができる。
【００１６】
右側グリップパネル１０７は、グリップ１０５に対して着脱自在であっても、グリップ１０５に固定されていても良い。
【００１７】
玩具銃１０１は、トリガ１０８を備える。トリガ１０８は、トリガガード１０４が形成する円形状の空間内に位置する。トリガ１０８は、玩具銃１０１の前後方向に動く。
【００１８】
図３は、左側グリップパネル１０６が取り外された状態の玩具銃１０１の左側の側面図である。グリップ１０５には、カートリッジ収納部１１１が設けられる。カートリッジ収納部１１１は、筒状のガスカートリッジＢ（図１１参照）が収納される筒状の収納空間１１１ａを形成する。カートリッジ収納部１１１は、ガスカートリッジＢを導入するための導入口１１２を形成する。導入口１１２は、グリップ１０５の左側の側面に開口し、収納空間１１１ａと外部の空間とを連通する。カートリッジ収納部１１１は、保持孔１１３も形成する。保持孔１１３は、グリップ１０５の右側の側面に開口し、収納空間１１１ａと外部の空間とを連通する。保持孔１１３は、ガスカートリッジＢよりも小さい。導入口１１２から導入されたガスカートリッジＢは、その一部を保持孔１１３からはみ出させた状態で、保持孔１１３を形成する周囲の曲面を含む収納空間１１１ａの内壁面によって導入口１１２内でスライド自在に保持される。
【００１９】
図４は、玩具銃１０１の断面図である。玩具銃１０１は、気室ボディ１１６を備える。気室ボディ１１６は、気室１１６ａを形成する。気室１１６ａは、密閉されている。気室１１６ａには、圧縮ガスＰＡ（図１３等参照）が蓄えられる。気室ボディ１１６からは、筒部１１７が突出する。また、気室ボディ１１６には、ガス噴出機構１１６ｂが設けられる。ガス噴出機構１１６ｂは、トリガ１０８の動きに応じて気室１１６ａ内の圧縮ガスＰＡを銃口１０３側に放出させる。放出された圧縮ガスＰＡは、玩具銃１０１に籠められた弾丸Ｗを押し、この弾丸Ｗを銃口１０３から発射させる。ここに、トリガ１０８とガス噴出機構１１６ｂとは、放出機構１０９を構成する。
【００２０】
筒部１１７内には、カートリッジ取付部１１８が設けられる。カートリッジ取付部１１８は、中空の針形状をなしている。カートリッジ取付部１１８には、ガスカートリッジＢの蓋部Ｂ１（図１１参照）が突き刺さる。カートリッジ取付部１１８は、この突き刺さったガスカートリッジＢ内の圧縮ガスＰＡを、気室１１６ａに導く。
【００２１】
グリップ１０５には、パンクチャフレーム１１４が嵌め込まれる。パンクチャフレーム１１４は、前述のカートリッジ収納部１１１を形成し、グリップ１０５の形状にあわせて長尺をなしている。パンクチャフレーム１１４の後方側の壁面には、摺動面１１４ａが形成される。摺動面１１４ａは、メインフレーム１０２により覆われておらず、玩具銃１０１の後方側に露出する。また、摺動面１１４ａは、カートリッジ収納部１１１内に収納されたガスカートリッジＢの外周面Ｂ０に平行となる。この摺動面１１４ａには、傾斜部１１４ｂが設けられる。傾斜部１１４ｂは、下方に向かうほど後方側に突出するよう傾斜する傾斜面１１４ｃを形成する。
【００２２】
なお、別の実施の形態として、摺動面１１４ａはパンクチャフレーム１１４に形成されずに、メインフレーム１０２における玩具銃１０１の後方側の側面に形成されていても良い。この場合、パンクチャフレーム１１４の後方側の壁面は、玩具銃１０１の後方側に露出していても、メインフレーム１０２に覆われていても良い。
【００２３】
パンクチャフレーム１１４の一方の端部には、装着部１１５が形成される。装着部１１５には、筒部１１７が嵌め込まれる。
【００２４】
パンクチャフレーム１１４における装着部１１５とは反対側の端部には、第１のアーム要素Ｐ１としてのクランプアーム１２１が取り付けられる。クランプアーム１２１は、側面視においてＬ字状をなし、グリップ１０５の後方から下方にかけた箇所に配置される。ここで、クランプアーム１２１におけるグリップ１０５の後方側に位置する部分を、延出部１２１ａと呼ぶ。また、クランプアーム１２１におけるグリップ１０５の下方側に位置する部分を、アーム下方部１２１ｂと呼ぶ。延出部１２１ａは、アーム下方部１２１ｂから、摺動面１１４ａに対面するように迫り出している。
【００２５】
回動軸１２２は、アーム下方部１２１ｂと、パンクチャフレーム１１４におけるカートリッジ収納部１１１よりも下方の部分とを連結する。クランプアーム１２１は、回動軸１２２の軸回り方向に回動自在となっている。
【００２６】
クランプアーム１２１のアーム下方部１２１ｂにおいて回動軸１２２よりも上方の箇所には、ローラ軸１２３ａが延びている。ローラ軸１２３ａは、回動軸１２２と平行にアーム下方部１２１ｂから延びる。ローラ軸１２３ａには、ローラ１２３が取り付けられる。ローラ１２３は、ローラ軸１２３ａの軸回り方向に回転自在となっている。ローラ１２３は、カートリッジ収納部１１１に収納されたガスカートリッジＢの底部Ｂ２（図１１参照）と回動軸１２２との間に位置する。そして、ローラ１２３は、クランプアーム１２１の回動に伴って動き、カートリッジ収納部１１１に収納されたガスカートリッジＢの底部Ｂ２（図１１参照）を上方に押し上げる。ここに、ローラ１２３は、押圧部１２３ｂとして機能する。
【００２７】
図５は、玩具銃１０１の前方側から見たクランプアーム１２１及び起こしレバー１２５の斜視図である。図６は、玩具銃１０１の後方側から見た起こしレバー１２５の斜視図である。図４、図５及び図６を参照する。クランプアーム１２１の延出部１２１ａの上方の端部には、取付軸１２４を介して、第２のアーム要素Ｐ２としての起こしレバー１２５が取り付けられる。起こしレバー１２５は、取付軸１２４を中心に回動自在に、延出部１２１ａに連結されている。ここに、取付軸１２４は、支点部１２４ａとして機能する。
【００２８】
起こしレバー１２５の上端前方の辺は、当接部１２６としての役割を果たす。当接部１２６は、摺動面１１４ａ及び傾斜面１１４ｃを摺動する。この点については、図７及び図８に基づいて後述する。
【００２９】
図５及び図６を特に参照する。起こしレバー１２５の後方側の側面で上端から下端にかけて、縦縞の意匠面１２５ａが形成される。意匠面１２５ａは、玩具銃１０１の後方側に露出する。
【００３０】
起こしレバー１２５は、操作部１２５ｂを有する。操作部１２５ｂは、取付軸１２４に対して当接部１２６とは反対側に位置する。操作部１２５ｂは、取付軸１２４よりも下方に延び、アーム下方部１２１ｂの後方側の側面を覆う。使用者が操作部１２５ｂを持って後方側に引くと、操作部１２５ｂが延出部１２１ａから離れ、当接部１２６が取付軸１２４よりも前方側に動く。ここで、取付軸１２４には、トーションスプリング１２７が巻きつくように配置されている。トーションスプリング１２７は、起こしレバー１２５における取付軸１２４よりも上方の部分を後方側に押す。このため、使用者が操作部１２５ｂから手を離すと、当接部１２６が後方側に移動し、操作部１２５ｂが延出部１２１ａに近づく。
【００３１】
クランプアーム１２１及び起こしレバー１２５のいずれにも、パンクチャフレーム１１４の傾斜部１１４ｂの形状と一致する溝部１２８が形成されている。
【００３２】
図７は、操作部１２５ｂが引き上げられた状態の玩具銃１０１の断面図である。使用者が操作部１２５ｂを玩具銃１０１の後方側かつ上方に引き上げると、起こしレバー１２５は取付軸１２４を中心に回転する。これにより、当接部１２６は、摺動面１１４ａに接触して下方に摺動する。そして、延出部１２１ａは、後方側に動いてパンクチャフレーム１１４から離反する。その結果、クランプアーム１２１は、回動軸１２２を中心に後方側に回動する。
【００３３】
図８は、当接部１２６が傾斜面１１４ｃを摺動し終えた状態の玩具銃１０１の断面図である。図７に示す状態に続いて、当接部１２６がさらに下方へ移動すると、当接部１２６は、傾斜面１１４ｃに接触し、パンクチャフレーム１１４から離反するように玩具銃１０１のさらに後方側に動く。これにより、クランプアーム１２１は、回動軸１２２を中心にさらに後方側に旋回する。このとき、起こしレバー１２５の操作部１２５ｂは、グリップ１０５から後方側に突出し、使用者にとって握りやすくなる。使用者は、このように突出した操作部１２５ｂをつまんで、図７中の太矢印に示すように、起こしレバー１２５を後方かつ下方に引っ張ってクランプアーム１２１を回動させることができる。
【００３４】
ここで、図４、図７及び図８を参照し、ローラ１２３に着目する。操作部１２５ｂが引き上げられるにつれ、クランプアーム１２１が回動軸１２２を中心に後方側に回動する。そして、延出部１２１ａがパンクチャフレーム１１４から離反するにつれ、ローラ軸１２３ａが移動する。これにより、ローラ１２３は、カートリッジ収納部１１１よりも下方側に移動する。
【００３５】
また、使用者は、操作部１２５ｂをつまんで起こしレバー１２５を延出部１２１ａに重ねあわせ（図１２及び図１３参照）、後方側に引き出されたクランプアーム１２１を上方に押し上げることもできる。この場合、起こしレバー１２５及びクランプアーム１２１は、回動軸１２２を中心に回動する。そして、ローラ１２３は、上方に移動してカートリッジ収納部１１１内に入り込む。
【００３６】
図９は、パンクチャフレーム１１４の後方側の側面図である。ところで、クランプアーム１２１のアーム下方部１２１ｂには、ベアリング孔１２１ｃと圧入孔１２１ｄとが形成されている。ベアリング孔１２１ｃと圧入孔１２１ｄとは、連なっている。ベアリング孔１２１ｃは、玩具銃１０１の右側に開口する。圧入孔１２１ｄは、玩具銃１０１の左側に開口する。圧入孔１２１ｄには、ベアリングボール１２１ｅ、スプリング１２１ｆ及び圧入ゴム１２１ｇがこの順に導入される。ベアリング孔１２１ｃの直径は、ベアリングボール１２１ｅの直径よりも小さい。このため、ベアリングボール１２１ｅの一部は、ベアリング孔１２１ｃからアーム下方部１２１ｂの右側に突出する。そして、ベアリングボール１２１ｅは、ベアリング孔１２１ｃから脱落しない。圧入ゴム１２１ｇは、圧入孔１２１ｄに圧入され、ベアリングボール１２１ｅとスプリング１２１ｆとの脱落を防ぐ。スプリング１２１ｆは、ベアリングボール１２１ｅを玩具銃１０１の右側に押す。
【００３７】
図１０は、クランプアーム１２１が押し上げられた状態にあるときのパンクチャフレーム１１４の後方側の側面図である。パンクチャフレーム１１４の右側の部分において回動軸１２２の近傍には、ボール受部１１４ｄが形成される。ボール受部１１４ｄは、パンクチャフレーム１１４を玩具銃１０１の幅方向に貫通する貫通孔１１４ｅの端部である。
【００３８】
クランプアーム１２１が上方に回動されると、ベアリングボール１２１ｅがパンクチャフレーム１１４に当たる。そして、ベアリングボール１２１ｅは、パンクチャフレーム１１４に押されてスプリング１２１ｆを押し込み、ボール受部１１４ｄ内に入り込む。この状態で、クランプアーム１２１がさらに上方に回動されると、ベアリングボール１２１ｅは、パンクチャフレーム１１４の内側面を滑り、ついにはボール受部１１４ｄに対面する。このとき、スプリング１２１ｆは、ベアリングボール１２１ｅをボール受部１１４ｄに向けて押し込む。これにより、使用者が起こしレバー１２５（図８等参照）から手を離しても、クランプアーム１２１は下方に回動しない。そして、使用者が操作部１２５ｂ（図４等参照）を所定以上の力で引き上げてクランプアーム１２１を動かすと、ベアリングボール１２１ｅは、パンクチャフレーム１１４の内側面に滑り出ようとしてスプリング１２１ｆを押し込み、ボール受部１１４ｄ内に入り込む。
【００３９】
図１１は、ガスカートリッジＢが玩具銃１０１に装着される様子を示す玩具銃１０１の側面図である。玩具銃１０１には、ガスカートリッジＢが装着される。ガスカートリッジＢは、例えば、金属素材で形成される。ガスカートリッジＢは、円筒状をなす。ガスカートリッジＢ内には、圧縮ガスＰＡ（図１２等参照）が封入されている。圧縮ガスＰＡの例は、炭酸ガス、フロンガス、代替フロンガス等である。ガスカートリッジＢの一方の端部（第１の端部ＢＡ）は窄まっている。第１の端部ＢＡの先端には、蓋部Ｂ１が形成される。蓋部Ｂ１は、フィルム状の素材で形成され、ガスカートリッジＢ内の圧縮ガスＰＡを封止している。第１の端部ＢＡとは反対側にあるガスカートリッジＢの端部（第２の端部ＢＢ）には、底部Ｂ２が形成される。底部Ｂ２は、半球形状をなしている。
【００４０】
ガスカートリッジＢを玩具銃１０１に装着する手順を示す。使用者は、まず、ツマミ部１０６ａ（図１参照）をつまんで、左側グリップパネル１０６（図１参照）をグリップ１０５から外す。これにより、カートリッジ収納部１１１が露出する。また、使用者は、図１４に基づいて後述する手順でクランプアーム１２１を動かし、ローラ１２３（図１２参照）をカートリッジ収納部１１１から下方に退避させておく。このとき、クランプアーム１２１も起こしレバー１２５も、グリップ１０５から後方側に突出している。
【００４１】
図１２は、ガスカートリッジＢがカートリッジ収納部１１１内に位置付けられた状態での玩具銃１０１の断面図である。続いて、使用者は、導入口１１２からカートリッジ収納部１１１内にガスカートリッジＢを導入する。このとき、使用者は、ガスカートリッジＢの外周面を保持孔１１３（図１１参照）に接触させ、蓋部Ｂ１をカートリッジ取付部１１８に対面させ、底部Ｂ２をローラ１２３に対面させる。
【００４２】
図１３は、起こしレバー１２５が押し上げられた状態での玩具銃１０１の断面図である。続いて、使用者は、起こしレバー１２５をクランプアーム１２１に重ねあわせ、この起こしレバー１２５を持って図１３中の矢印ＲＡの向きに回動させ、クランプアーム１２１の延出部１２１ａを摺動面１１４ａに接触させる。これにより、ローラ１２３は、回動軸１２２を中心に旋回し、ガスカートリッジＢの底部Ｂ２に接触する。ここで、さらに起こしレバー１２５が動かされると、ローラ１２３は、ローラ軸１２３ａを中心に回転しながら底部Ｂ２に沿って転がる。このとき、ローラ１２３は、ガスカートリッジＢを図１３中の矢印ＲＢの方向に押し上げる。これにより、蓋部Ｂ１は、カートリッジ取付部１１８に突き破られる。そして、ガスカートリッジＢ内の圧縮ガスＰＡは、気室１１６ａに入り込む。
【００４３】
ここで、ガスカートリッジＢの底部Ｂ２に対するローラ１２３の動きに注目する。まず、図１２を参照する。起こしレバー１２５が押し上げられると、ローラ１２３は、まず、ガスカートリッジＢの底部Ｂ２における最下点Ｂ３よりも玩具銃１０１の後方側の領域に接触する。そして、クランプアーム１２１が回動するにつれ、ローラ１２３は、ガスカートリッジＢの底部Ｂ２に沿って転がり、最下点Ｂ３を通過し、底部Ｂ２における最下点Ｂ３よりも玩具銃１０１の前方側の領域に到達する。ここで、ローラ１２３は、最下点Ｂ３を通過するときに、ガスカートリッジＢを矢印ＲＢの方向に最も強く動かす。そして、ローラ１２３は、最下点Ｂ３を通過した後、最下点Ｂ３の近傍の位置で停止し、カートリッジ取付部１１８とともにガスカートリッジＢを挟みこんで固定する。このとき、前述したように、保持孔１１３（図１１参照）は、ガスカートリッジＢの外周面Ｂ０を保持している。このため、ガスカートリッジＢは、カートリッジ収納部１１１内で動かない。この後、カートリッジ収納部１１１は、左側グリップパネル１０６により閉じられる。
【００４４】
カートリッジ取付部１１８が蓋部Ｂ１に突き刺さった状態で、使用者がトリガ１０８を引くと、ガス噴出機構１１６ｂが作動し、気室１１６ａ内の圧縮ガスＰＡが銃口１０３に向かう方向に噴出する。噴出された圧縮ガスＰＡは、玩具銃１０１内に籠められた弾丸Ｗ（図４参照）を押し、この弾丸Ｗを銃口１０３から発射させる。なお、グリップ１０５に左側グリップパネル１０６が取り付けられていなくても、弾丸Ｗは発射される。
【００４５】
図１４は、ガスカートリッジＢが玩具銃１０１に装着されたままで操作部１２５ｂが引き上げられた状態での玩具銃１０１の断面図である。ガスカートリッジＢの圧縮ガスＰＡが減少し、気室１１６ａ内の圧縮ガスＰＡの気圧が弾丸Ｗ（図４参照）を発射させるのに不十分になった場合、ガスカートリッジＢの交換が必要となる。この場合、ガスカートリッジＢは、以下のようにして玩具銃１０１から取り外される。
【００４６】
まず、使用者は、グリップ１０５から左側グリップパネル１０６を取り外す。これにより、カートリッジ収納部１１１内のガスカートリッジＢが露出する。
【００４７】
続いて、使用者は、起こしレバー１２５の操作部１２５ｂを図１４中の矢印ＲＣの方向に引き上げる。これにより、起こしレバー１２５は、取付軸１２４を中心にクランプアーム１２１に対して回動する。そして、当接部１２６は、摺動面１１４ａと傾斜面１１４ｃとに沿って摺動し、下方に移動する。さらに、クランプアーム１２１は、回動軸１２２を中心に図１４中の矢印ＲＤの方向に回動する。その結果、ローラ１２３は、ガスカートリッジＢの底部Ｂ２を転がり、最下点Ｂ３を超えて、最下点Ｂ３よりも玩具銃１０１の後方側に移動し、カートリッジ収納部１１１から退避する。これにより、ガスカートリッジＢの底部Ｂ２とローラ１２３との間には空隙が生じ、ガスカートリッジＢがカートリッジ収納部１１１内で下方にスライド移動できるようになる。
【００４８】
続いて、使用者は、導入口１１２を通じてガスカートリッジＢの外周面Ｂ０に触り、ガスカートリッジＢを図１４中の矢印ＲＥの方向に動かす。これにより、ガスカートリッジＢの蓋部Ｂ１は、カートリッジ取付部１１８から抜ける。そして、使用者は、導入口１１２を通じて、カートリッジ収納部１１１からガスカートリッジＢを取り出す。
【００４９】
本実施の形態の玩具銃１０１によれば、玩具銃１０１の使用者が操作部１２５ｂを動かし当接部１２６を摺動面１１４ａに沿って摺動させると、支点部１２４ａがカートリッジ収納部１１１から離れ、クランプアーム１２１（第１のアーム要素Ｐ１）が回動する。ここで、当接部１２６と支点部１２４ａとの間の距離に比べて、当接部１２６と操作部１２５ｂとの間の距離の方が長い。このため、使用者が加えるべき力は小さくて良い。そして、操作部１２５ｂがカートリッジ収納部１１１から大きく離れるので、使用者は、起こしレバー１２５をつまみやすい。したがって、玩具銃１０１に対するガスカートリッジＢの強固な取り付け及び交換を簡易な操作で実現することができる。
【００５０】
さらに、クランプアーム１２１（第１のアーム要素Ｐ１）に使用者がつまむ箇所を設ける必要がない。このために、玩具銃１０１のデザイン性を損ねることはない。
【００５１】
さらに、本実施の形態の玩具銃１０１では、押圧部１２３ｂが、クランプアーム１２１に回転自在に設けられたローラ１２３により構成される。これにより、ガスカートリッジＢの底部Ｂ２が削られることなく、ローラ１２３は底部Ｂ２に沿って転がる。このため、使用者が起こしレバー１２５を動かすと、ガスカートリッジＢはスムーズにカートリッジ収納部１１１内で動く。
【００５２】
さらに、本実施の形態の玩具銃１０１は、傾斜部１１４ｂを備えている。傾斜部１１４ｂが形成する傾斜面１１４ｃは、回動軸１２２に向かうにつれてカートリッジ収納部１１１に収納されたガスカートリッジＢの外周面Ｂ０から離れるように、摺動面１１４ａに対して傾斜する。このため、操作部１２５ｂがわずかに引き上げられるだけでクランプアーム１２１が大きく回動して、クランプアーム１２１や起こしレバー１２５がグリップ１０５から大きく突出する。
【符号の説明】
【００５３】
１０１  玩具銃
１０９  放出機構
１１１  カートリッジ収納部
１１４ａ  摺動面
１１４ｃ  傾斜面
１１６  気室ボディ
１１６ａ  気室
１１８  カートリッジ取付部
１２１ａ  延出部
１２２  回動軸
１２３    ローラ
１２３ｂ  押圧部
１２４ａ  支点部
１２５ｂ  操作部
１２６  当接部
Ｐ１  第１のアーム要素
Ｐ２  第２のアーム要素
ＰＡ  圧縮ガス
Ｂ  ガスカートリッジ
Ｂ０  ガスカートリッジの外周面
ＢＡ  ガスカートリッジの第１の端部
ＢＢ  ガスカートリッジの第２の端部
【図１】
2012077959.tif 000003
【図２】
2012077959.tif 000004
【図３】
2012077959.tif 000005
【図４】
2012077959.tif 000006
【図５】
2012077959.tif 000007
【図６】
2012077959.tif 000008
【図７】
2012077959.tif 000009
【図８】
2012077959.tif 000010
【図９】
2012077959.tif 000011
【図１０】
2012077959.tif 000012
【図１１】
2012077959.tif 000013
【図１２】
2012077959.tif 000014
【図１３】
2012077959.tif 000015
【図１４】
2012077959.tif 000016